(57)【要約】【課題】回転指針が表示指標を指示することによる情報の報知性を確保する車両用表示装置の提供。【解決手段】数字指標１２４ｂ及び目盛指標１２５ｂを円周方向に複数並べて形成して前方から視認可能に表示する表示パネルと、表示パネルの前方に配置されており、円周方向に回転しつつ指標１２４ｂ，１２５ｂを指示する回転指針１４１と、回転指針１４１を回転駆動する駆動ユニットとを、設ける。表示パネルは、円周方向に沿って想定される特定表示領域１２６に数字指標１２４ｂを形成する。回転指針１４１は、数字指標１２４ｂを拡大して透過させる透明又は半透明なレンズ部１４４ａを、特定表示領域１２６の前方に有する。【選択図】図８
2018009902.tif 000002
【特許請求の範囲】
【請求項１】
車両に搭載される車両用表示装置（１００）であって、
表示指標（１２４ａ，１２４ｂ，１２５ａ，１２５ｂ）を円周方向に複数並べて形成して前方から視認可能に表示する表示パネル（１２０）と、
前記表示パネルの前方に配置されており、前記円周方向に回転しつつ前記表示指標を指示する回転指針（１４１，２１４１）と、
前記回転指針を回転駆動する駆動ユニット（１５０，２１５０）とを、備え、
前記表示パネルは、
前記円周方向に沿って想定される特定表示領域（１２６）に前記表示指標としての特定指標（１２４ａ，１２４ｂ）を形成し、
前記回転指針は、
前記特定指標を拡大して透過させる透明又は半透明なレンズ部（１４４ａ，２１４４ａ）を、前記特定表示領域の前方に有する車両用表示装置。
【請求項２】
前記回転指針（１４１）は、
前記レンズ部により拡大された前記特定指標を囲んだ状態に、前方から視認可能なフレーム部（１４４ｂ）を、さらに有する請求項１に記載の車両用表示装置。
【請求項３】
前記回転指針は、前記表示パネルのうち前記特定表示領域から外れた箇所（１２７，１２８）の前方にて内蔵している指針光源部（１４３）の点灯により、前方から視認可能に発光する請求項１又は２に記載の車両用表示装置。
【請求項４】
前記回転指針（１４１）を含んで構成される指針ユニット（１４０）と、
前記指針光源部による前記回転指針の発光状態と、前記駆動ユニット（１５０）による前記回転指針の回転駆動状態とを、制御する制御ユニット（１７０）とを、さらに備え、
前記指針ユニットは、
前記円周方向に回転可能に配置されており、前記指針光源部を点灯させるために導通ターミナル（１４５）が設けられて前記回転指針を支持している可動歯車（１４２）を、含み、
前記駆動ユニットは、
前記表示パネルに対し位置固定されて前記制御ユニットと導通しており、前記導通ターミナルと摺接により導通する固定接触子（１５５）と、
前記制御ユニットと導通しており、前記可動歯車と連繋した駆動歯車（１５８，１５９）を自転させることにより、前記回転指針を前記可動歯車と一体に回転駆動するアクチュエータ（１５６）とを、含む請求項３に記載の車両用表示装置。
【請求項５】
前記回転指針（２１４１）を含んで構成される指針ユニット（２１４０）と、
前記駆動ユニット（２１５０）による前記回転指針の回転駆動状態を、制御する制御ユニット（２１７０）とを、さらに備え、
前記指針ユニットは、
前記表示パネルの前方にて前記円周方向に回転可能に配置されており、前記レンズ部（２１４４ａ）を有した前記回転指針を前方から視認可能に形成している透明又は半透明な回転プレート（２１４８）と、
前記回転プレートと一体に回転可能に配置されている可動歯車（２１４２）とを、含み、
前記駆動ユニットは、
前記制御ユニットと導通しており、前記可動歯車と連繋した駆動歯車（１５８，１５９）を自転させることにより、前記回転プレートの前記回転指針を前記可動歯車と一体に回転駆動するアクチュエータ（１５６）とを、含む請求項１に記載の車両用表示装置。
【請求項６】
前記可動歯車は、前記回転プレートの外周縁に沿った透明又は半透明な円環状に、形成されており、
前記指針ユニットは、
前記回転プレート及び前記可動歯車の外周側にて、前記円周方向に並んで配置されて前記制御ユニットと導通しており、前記回転指針の回転位置に応じた少なくとも一つの点灯により、前記回転指針を前方から視認可能に発光させる複数の外周光源部（２１４３）を、さらに含み、
前記制御ユニットは、前記複数の外周光源部による前記回転指針の発光状態を、制御する請求項５に記載の車両用表示装置。
【請求項７】
前記回転プレートは、前方を向く前面（２１４８ａ）にて凹んだ湾曲凹面状を、呈している請求項５又は６に記載の車両用表示装置。
【発明の詳細な説明】
【技術分野】
【０００１】
本発明は、車両に搭載される車両用表示装置に、関する。
【背景技術】
【０００２】
一般に車両用表示装置では、表示パネルの前方にて円周方向に回転可能に配置された回転指針が、駆動ユニットにより回転駆動される。その結果、表示パネルの円周方向に複数並んで形成されて前方から視認可能に形成されている表示指標のうちいずれかを、回転指針が回転位置に応じて指示することとなる。
【０００３】
こうした車両用表示装置の一種として特許文献１に開示のものでは、回転指針の外部にて位置固定された外部光源部の点灯により、当該光源部からの光が導かれて回転指針が前方から視認可能に発光する。これによれば、発光した回転指針に対しての注視性を確保することが可能となっている。
【先行技術文献】
【特許文献】
【０００４】
【特許文献１】特開２００３−１２１２１２号公報
【発明の概要】
【発明が解決しようとする課題】
【０００５】
しかし、特許文献１に開示の車両用表示装置では、表示指標のうち数字指標の前方箇所に回転指針が回転すると、数字指標は、外部光源部の点灯中は全体的に発光する回転指針の背後に隠れてしまい、前方からは視認困難となる。そのため、回転指針が数字指標を指示することで視認者へと報知されるはずの情報につき、報知性を低下させるおそれがあった。
【０００６】
本発明は、以上説明した問題に鑑みてなされたものであって、その目的は、回転指針が表示指標を指示することによる情報の報知性を確保する車両用表示装置を、提供することにある。
【課題を解決するための手段】
【０００７】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００８】
上述の課題を解決するために開示された発明は、
車両に搭載される車両用表示装置（１００）であって、
表示指標（１２４ａ，１２４ｂ，１２５ａ，１２５ｂ）を円周方向に複数並べて形成して前方から視認可能に表示する表示パネル（１２０）と、
表示パネルの前方に配置されており、円周方向に回転しつつ表示指標を指示する回転指針（１４１，２１４１）と、
回転指針を回転駆動する駆動ユニット（１５０，２１５０）とを、備え、
表示パネルは、
円周方向に沿って想定される特定表示領域（１２６）に表示指標としての特定指標（１２４ａ，１２４ｂ）を形成し、
回転指針は、
特定指標を拡大して透過させる透明又は半透明なレンズ部（１４４ａ，２１４４ａ）を、特定表示領域の前方に有する。
【０００９】
このような開示発明によると、円周方向に沿って表示パネルに想定される特定表示領域の前方では、当該領域に形成の特定指標が回転指針のレンズ部により拡大されて透過する。これにより特定指標は、回転指針の背後に隠れることなく、しかも拡大状態で前方から視認可能となる。したがって、回転指針が特定指標を指示することによる情報の報知性を、確保することができる。
【図面の簡単な説明】
【００１０】
【図１】第一実施形態による車両用表示装置を示す斜視図である。
【図２】第一実施形態による車両用表示装置を示す断面図であって、図１のII−II線断面図である。
【図３】図１における車両用表示装置の一部を拡大して示す正面図である。
【図４】図２における指針ユニット及び駆動ユニットのそれぞれ一部を拡大して示す断面図である。
【図５】図２における駆動ユニットを示す正面図である。
【図６】図４の回転指針の一部を示す正面図である。
【図７】図６のVII−VII線断面図である。
【図８】図３とは異なる作動状態を示す正面図である。
【図９】第一実施形態による車両用表示装置を示す断面図であって、図２に対応する断面図である。
【図１０】第二実施形態による車両用表示装置の一部を拡大して示す正面図である。
【図１１】図９における駆動ユニットを示す正面図である。
【図１２】図１０とは異なる作動状態を示す正面図である。
【図１３】図９の変形例を示す断面図である。
【発明を実施するための形態】
【００１１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１２】
（第一実施形態）
図１に示すように、本発明の第一実施形態による車両用表示装置１００は、車両に搭載される。車両用表示装置１００は、車両内の座席に着座した乗員である視認者に対し、表示を行うコンビネーションメータである。かかる表示のために車両用表示装置１００は、車両内のインストルメントパネルに設置される。ここで、車両用表示装置１００における「前方」とは、車両内の視認者に表示を行う方向、即ち視認者による視認側を示す。
【００１３】
図１，２に示すように車両用表示装置１００は、表示ケース１１０、表示パネル１２０、指針ユニット１４０、駆動ユニット１５０及び制御ユニット１７０を備えている。表示ケース１１０は、複数の樹脂部材から中空箱状に構成されている。表示ケース１１０は、インストルメントパネルへの設置下にて前方に向かって開口する表示窓１１１を、形成している。
【００１４】
表示パネル１２０は、例えば液晶パネル又は有機ＥＬパネル等であり、全体として略矩形の板状に形成されている。表示パネル１２０は、表示ケース１１０内に収容され、同ケース１１０により保持されている。表示パネル１２０は、表示窓１１１を通して前方に露出する画面１２１を、有している。図１に示すように表示パネル１２０は、指標画像１２２ａ，１２２ｂ及び背景画像１２３ａ，１２３ｂ等の各種カラー画像を、前方の視認者から視認可能に画面１２１に表示する。このとき、指標画像１２２ａ，１２２ｂ及び背景画像１２３ａ，１２３ｂの表示状態にて画面１２１は、表示パネル１２０に内蔵のバックライトにより透過照明される。
【００１５】
図１，３に示すように指標画像１２２ａ，１２２ｂは、車両に関連する表示指標としてそれぞれ、数字指標１２４ａ，１２４ｂ及び目盛指標１２５ａ，１２５ｂを形成する。ここで本実施形態では、画面１２１のうち横方向の片側に設定される円形表示部１２１ａにて、車両の車速情報を報知するための指標画像１２２ａが表示される。かかる指標画像１２２ａは、車速情報に対応した数字指標１２４ａ及び目盛指標１２５ａを、同表示部１２１ａの外周縁に沿った円周方向にそれぞれ複数ずつ並べて形成する。一方、画面１２１のうち横方向の別側に設定される円形表示部１２１ｂには、車両のエンジン回転数情報を報知するための指標画像１２２ｂが表示される。かかる指標画像１２２ｂは、エンジン回転数情報に対応した数字指標１２４ｂ及び目盛指標１２５ｂを、同表示部１２１ｂの外周縁に沿った円周方向にそれぞれ複数ずつ並べて形成する。
【００１６】
各円形表示部１２１ａ，１２１ｂにて背景画像１２３ａ，１２３ｂは、それぞれ対応する指標画像１２２ａ，１２２ｂの背景を、形成する。ここで各円形表示部１２１ａ，１２１ｂでは、数字指標１２４ａ，１２４ｂ等の表示指標や指針ユニット１４０のうち回転指針１４１に対しての注視性を向上させるために、背景画像１２３ａ，１２３ｂの表示色（ここでは、複数色の組み合わせによる図形や模様も含む）が制御ユニット１７０によって可変制御されてもよい。
【００１７】
図１，２に示す指針ユニット１４０及び駆動ユニット１５０は、各円形表示部１２１ａ，１２１ｂにそれぞれ対応して一つずつ、且つ互いに実質同一構成をもって設けられている。また、こうした各円形表示部１２１ａ，１２１ｂの指針ユニット１４０及び駆動ユニット１５０に共通して、制御ユニット１７０が設けられている。そこで以下では、指針ユニット１４０及び駆動ユニット１５０について、図２，３に示す円形表示部１２１ｂ側のものを代表して説明し、円形表示部１２１ａ側のものは円形表示部１２１ｂ側と異なる部分を特に説明する。それと共に以下では、制御ユニット１７０について、円形表示部１２１ｂ側における指針ユニット１４０及び駆動ユニット１５０との関係性を代表して説明する。
【００１８】
図１〜５に示すように指針ユニット１４０は、回転指針１４１及び可動歯車１４２を含んで構成されている。回転指針１４１は、全体として細長板状に形成されている。回転指針１４１は、表示ケース１１０内のうち表示パネル１２０の前方に収容されている。図１〜３に示すように回転指針１４１は、円形表示部１２１ｂの径方向に沿って延伸した状態を維持しつつ、同表示部１２１ｂの円周方向に回転可能に配置されている。回転指針１４１は、車両のエンジン回転数情報を表示するために、自身の回転位置に応じた指標画像１２２ｂの形成指標１２４ｂ，１２５ｂを指示可能となっている。
【００１９】
図４〜７に示すように回転指針１４１には、複数の指針光源部１４３が内蔵されている。各指針光源部１４３は、回転指針１４１の長手方向（即ち、円形表示部１２１ｂの径方向）に互いに離れて設けられている。各指針光源部１４３は、視認者により前方から視認困難なサイズ（例えば直径１００μｍ程度）に、形成されている。但し、図４〜７では、説明の理解を容易にするために、各指針光源部１４３が実際よりも模式的に大きく描かれている。
【００２０】
各指針光源部１４３は、本実施形態では赤色、緑色及び青色である三色のＬＥＤ光源から、それぞれ構成されている。各指針光源部１４３は、三色のＬＥＤ光源のうち少なくとも一つが通電されるのに応じて点灯することで、回転指針１４１における自身の内蔵箇所を前方の視認者から視認可能に発光させる。ここで各指針光源部１４３は、透明又は半透明な透光性樹脂基板１４６に対し後方に積層された透明又は半透明な透光性樹脂フィルム１４７，１４９の間に、図示しない透明又は半透明な透光性電極と共に埋設されている。これにより、各指針光源部１４３からの光の減衰を抑制して、発光強度を高めることが可能となっている。また、このような発光に対して各指針光源部１４３は、三色のＬＥＤ光源全てへの通電が停止するのに応じて消灯することで、回転指針１４１における自身の内蔵箇所での発光を止める。
【００２１】
図３に示すように円形表示部１２１ｂ側では、表示パネル１２０に想定される特定表示領域１２６を径方向に挟んだ両側箇所に対して、それぞれの前方に指針光源部１４３が所定数（図３の例では一つ）ずつ設けられている。具体的には、円形表示部１２１ｂの円周方向に沿って想定される円環帯状の特定表示領域１２６（例えば、図３の二点鎖線で仕切られた領域を参照）には、表示指標のうち特定指標としての数字指標１２４ｂが指標画像１２２ｂにより形成されると共に、背景画像１２３ｂが表示される。一方、円形表示部１２１ｂのうち特定表示領域１２６の外周側に外れて想定される円環帯状の外周表示領域１２７（例えば、図３の二点鎖線で仕切られた領域を参照）には、表示指標のうち目盛指標１２５ｂが指標画像１２２ｂにより形成されると共に、背景画像１２３ｂが表示される。また、円形表示部１２１ｂのうち特定表示領域１２６の内周側に外れて円周方向に沿って想定される円形状の内周表示領域１２８（例えば、図３の二点鎖線で仕切られた領域を参照）には、背景画像１２３ｂのみが表示される。このように特定表示領域１２６から外れた領域１２７，１２８の前方に、それぞれ所定数ずつの指針光源部１４３が配置されて回転指針１４１に内蔵されている。尚、円形表示部１２１ａ側では、数字指標１２４ａを形成する特定表示領域１２６から外れた領域１２７，１２８の前方に、それぞれ所定数ずつの指針光源部１４３が配置されて回転指針１４１に内蔵されている。
【００２２】
図２〜５に示すように回転指針１４１には、各指針光源部１４３を前方から覆う指針カバー部１４４が、設けられている。指針カバー部１４４は、全体として略矩形の板状に形成され、円形表示部１２１ｂの前方を全ての指針光源部１４３と一体回転可能に配置されている。指針カバー部１４４は、レンズ部１４４ａ、フレーム部１４４ｂ及び透過部１４４ｃを有している。
【００２３】
図２，３，５に示すようにレンズ部１４４ａは、透明又は着色により半透明（以下、単に「透明又は半透明」という）な透光性樹脂により、フレネルレンズ状に形成されている。レンズ部１４４ａは、円形表示部１２１ｂのうち特定表示領域１２６の前方に配置されている。これによりレンズ部１４４ａは、図８の如くいずれかの数字指標１２４ｂに対する前方箇所へ回転指針１４１の回転に応じて到達したときに、背後の当該指標１２４ｂを拡大して透過させる。尚、円形表示部１２１ａ側では、特定表示領域１２６の数字指標１２４ａがレンズ部１４４ａにて拡大されて透過することとなる。
【００２４】
図２〜５に示すようにフレーム部１４４ｂは、金属調の不透光性樹脂により、正面視にて略矩形の枠状に形成されている。フレーム部１４４ｂは、レンズ部１４４ａの周囲のうち大半部分に沿って設けられることで、円形表示部１２１ｂにおける各領域１２６，１２７，１２８の前方に跨って配置されている。フレーム部１４４ｂは、レンズ部１４４ａにより拡大された数字指標１２４ｂを、少なくとも径方向両側にて隙間１４４ｄをあけて囲んだ状態に前方の視認者からは視認可能とするサイズを、内側に確保している。尚、円形表示部１２１ａ側のフレーム部１４４ｂでは、レンズ部１４４ａにより拡大された数字指標１２４ａを、前方からの視認状態で少なくとも径方向両側に隙間１４４ｄをあけて囲むように、内側サイズが確保される。
【００２５】
図２，３，５に示すように透過部１４４ｃは、透明又は半透明な透光性樹脂によりレンズ部１４４ａと一体形成されている。透過部１４４ｃは、円形表示部１２１ｂの径方向に沿ってレンズ部１４４ａから外周表示領域１２７側と内周表示領域１２８側とに延伸することで、それら領域１２７，１２８の前方に配置されている。透過部１４４ｃの前面又は背面には、複数の微小（例えば高低差３００μｍ程度）な凹凸が光を拡散可能に設けられている。透過部１４４ｃは、点灯した各指針光源部１４３からの光を、複数の凹凸を通して透過且つ拡散させることで、回転指針１４１における発光バラツキの抑制を可能にしている。
【００２６】
図２，４，５に示すように可動歯車１４２は、不透光性金属により円環板状に形成されている。可動歯車１４２は、表示ケース１１０内のうち表示パネル１２０の前方に収容されている。可動歯車１４２は、円形表示部１２１ｂを前方の視認者から視認可能に、内周側に露出させている。可動歯車１４２は、かかる露出状態を維持しつつ、円形表示部１２１ｂの円周方向に回転可能に配置されている。図４，５に示すように可動歯車１４２は、歯底円の外周側に歯先円を有する外歯車部１４２ｃを、形成している。それと共に可動歯車１４２は、前方に向かって開口する円環溝状のガイドレール１４２ａを、前方を向く前面１４２ｂに形成している。さらに可動歯車１４２は、円周方向の一部に回転指針１４１を支持していることで、当該指針１４１と一体に回転可能となっている。
【００２７】
図２，４に示すように可動歯車１４２には、回転指針１４１を介して一体に回転可能に、金属製の導通ターミナル１４５が複数設けられている。図４，６，７に示すように各導通ターミナル１４５は、回転指針１４１の背後へと細長板状に突出している。各導通ターミナル１４５は、回転指針１４１における上述の透光性電極を介して、それぞれ対応した指針光源部１４３と電気接続により導通している。
【００２８】
具体的に第一導通ターミナル１４５ａは、各指針光源部１４３における赤色ＬＥＤ光源のマイナス端子と導通している。第二導通ターミナル１４５ｂは、各指針光源部１４３における緑色ＬＥＤ光源のマイナス端子と導通している。第三導通ターミナル１４５ｃは、各指針光源部１４３における青ＬＥＤ光源のマイナス端子と導通している。第四導通ターミナル１４５ｄは、各指針光源部１４３における三色全てのＬＥＤ光源のプラス端子と導通している。
【００２９】
図２，４，５に示すように駆動ユニット１５０は、カバーベース１５１、加飾リング１５２、弾性部材１５３及びベアリング１５４、固定接触子１５５及びアクチュエータ１５６を含んで構成されている。図２，４に示すようにカバーベース１５１は、樹脂により円環板状に形成されている。カバーベース１５１は、表示ケース１１０内のうち表示パネル１２０の前方且つ可動歯車１４２の背後に、即ちそれら要素１２０，１４２の間に収容されている。ベース１５１は、表示ケース１１０により保持されている。カバーベース１５１は、円形表示部１２１ｂを前方の視認者から視認可能に、内周側に露出させている。
【００３０】
加飾リング１５２は、不透光性樹脂により円環板状に形成されている。加飾リング１５２は、表示ケース１１０内のうち可動歯車１４２の前方から外周側に跨って、収容されている。加飾リング１５２は、カバーベース１５１に装着されることで、当該ベース１５１を介して表示ケース１１０により保持されている。加飾リング１５２は、導通ターミナル１４５の設けられた可動歯車１４２と、カバーベース１５１とを、前方の視認者からは実質視認不能に前方及び外周側から覆っている。一方で加飾リング１５２は、円形表示部１２１ｂを前方の視認者から視認可能に、内周側に露出させている。加飾リング１５２は、前方に向かって突出する略断面Ｕ字状をもって円周方向に連続することで、かかる露出状態の円形表示部１２１ｂを図１の如く立体的に加飾している。
【００３１】
図４に示すように複数の弾性部材１５３は、それぞれ樹脂により湾曲板状に形成されている。各弾性部材１５３は、表示ケース１１０内のうち可動歯車１４２の前方から外周側に跨って、収容されている。各弾性部材１５３は、円形表示部１２１ｂの円周方向において等間隔に並んでいる。各弾性部材１５３は、加飾リング１５２により前方及び外周側から覆われることで、前方の視認者からは実質視認不能となっている。各弾性部材１５３は、カバーベース１５１に装着されることで、当該ベース１５１を介して表示ケース１１０により保持されている。かかる保持状態下にて各弾性部材１５３は、前方に向かって湾曲する略断面Ｕ字状を呈することで、弾性変形可能となっている。
【００３２】
複数のベアリング１５４は、円形表示部１２１ｂの外周縁に沿って配置され、同表示部１２１ｂの円周方向に等間隔に並んでいる。各ベアリング１５４は、表示ケース１１０内のうち可動歯車１４２の前方に、収容されている。各ベアリング１５４は、加飾リング１５２により前方及び外周側から覆われることで、前方の視認者からは実質視認不能となっている。金属製の各ベアリング１５４は、全体として円板状に形成され、それぞれ対応する弾性部材１５３により内輪を支持されている。それと共に各ベアリング１５４は、ガイドレール１４２ａに外輪を嵌入させている。こうした構成下、各弾性部材１５３の復原力が各ベアリング１５４を介して可動歯車１４２及び回転指針１４１に作用することで、それら歯車１４２及び指針１４１がベース１５１に対し押圧されて円形表示部１２１ｂとの同心状態を維持可能となっている。
【００３３】
図２，４に示すように複数の固定接触子１５５は、金属により円環板状に形成されている。各固定接触子１５５は、表示ケース１１０内のうちそれぞれ対応する導通ターミナル１４５の背後に重畳する箇所に、収容されている。各固定接触子１５５は、円形表示部１２１ｂの径方向に等間隔に並んでいる。各固定接触子１５５は、カバーベース１５１に装着されることで、当該ベース１５１を介して表示ケース１１０により保持されている。これにより各固定接触子１５５は、表示パネル１２０に対し位置固定されている。各固定接触子１５５は、それぞれ対応する導通ターミナル１４５と摺接することで、当該対応ターミナル１４５と導通可能となっている。
【００３４】
図２，５に示すようにアクチュエータ１５６は、駆動源１５７及び一対の駆動歯車１５８，１５９を有している。駆動源１５７は、本実施形態ではステッピングモータであり、駆動軸１５７ａを有している。駆動源１５７は、表示ケース１１０内のうち可動歯車１４２の外周側、特に本実施形態では可動歯車１４２の下側に収容され、同ケース１１０により保持されている。各駆動歯車１５８，１５９は、金属により平歯車状に形成されている。各駆動歯車１５８，１５９は、歯底円の外周側に歯先円を有する外歯車部１５８ａ，１５９ａを、それぞれ形成している。各駆動歯車１５８，１５９は、表示ケース１１０内のうち可動歯車１４２と駆動源１５７との間に、収容されている。
【００３５】
ここで第一駆動歯車１５８は、駆動軸１５７ａに対し一体回転可能に連結されている。第二駆動歯車１５９は、表示ケース１１０により回転可能に支持されている。第二駆動歯車１５９の外歯車部１５９ａは、第一駆動歯車１５８の外歯車部１５８ａと可動歯車１４２の外歯車部１４２ｃとに、噛合により歯車連繋している。こうした構成下、通電された駆動源１５７により駆動軸１５７ａへ回転トルクが与えられると、各駆動歯車１５８，１５９がそれぞれ自転することで、回転指針１４１が可動歯車１４２と一体に回転駆動されることとなる。
【００３６】
図２に示す制御ユニット１７０は、マイクロコンピュータを主体に構成されている。制御ユニット１７０は、表示ケース１１０の内部又は外部に配置されている。制御ユニット１７０は、各固定接触子１５５と表示パネル１２０と駆動源１５７とに対し、電気接続により導通している。これにより制御ユニット１７０は、固定接触子１５５及び導通ターミナル１４５を介して導通した各指針光源部１４３への通電調整を随時実行することで、それら光源部１４３による回転指針１４１の発光状態を制御する。それと共に制御ユニット１７０は、導通した表示パネル１２０への通電指令を随時出力することで、当該パネル１２０における画像１２２ｂ，１２３ｂ等の各種カラー画像の表示状態を制御する。さらに制御ユニット１７０は、導通した駆動源１５７への通電指令を随時出力することで、アクチュエータ１５６による回転指針１４１の回転駆動状態を制御する。ここで円形表示部１２１ｂ側では、回転指針１４１の回転駆動を制御するために、エンジン回転数情報が制御ユニット１７０へと入力されるようになっている。
【００３７】
（作用効果）
以上説明した第一実施形態の作用効果を、以下に説明する。
【００３８】
このような第一実施形態によると、円周方向に沿って表示パネル１２０に想定される特定表示領域１２６の前方では、当該領域１２６に形成の数字指標１２４ａ，１２４ｂが回転指針１４１のレンズ部１４４ａにより拡大されて透過する。これにより数字指標１２４ａ，１２４ｂは、回転指針１４１の背後に隠れることなく、しかも拡大状態で前方から視認可能となる。したがって、回転指針１４１が数字指標１２４ａ，１２４ｂを指示することによる情報の報知性を、確保することができる。
【００３９】
また、第一実施形態による回転指針１４１のフレーム部１４４ｂは、レンズ部１４４ａにより拡大された数字指標１２４ａ，１２４ｂを囲んだ状態に、前方から視認可能となる。これによれば、フレーム部１４４ｂ内の拡大された数字指標１２４ａ，１２４ｂは、視認者により注視され易くなる。故に、回転指針１４１が数字指標１２４ａ，１２４ｂを指示することによる情報の報知性を、高めることが可能となる。
【００４０】
さらに、第一実施形態による回転指針１４１は、自身に内蔵された指針光源部１４３の点灯により発光するので、当該点灯状態の指針光源部１４３から前方の視認者へ届くまでの光の減衰を、生じ難くすることができる。故に、表示パネル１２０のうち特定表示領域１２６から外れた領域１２７，１２８の前方では、内蔵の指針光源部１４３により回転指針１４１に対する注視性が向上し得ると共に、特定表示領域１２６の前方では、回転指針１４１に形成のレンズ部１４４ａにより拡大された数字指標１２４ａ，１２４ｂに対する注視性が向上し得る。以上のことから、注視性の向上した数字指標１２４ａ，１２４ｂを、注視性の向上した回転指針１４１が指示することによる情報の報知性について、高めることが可能となる。
【００４１】
またさらに、第一実施形態の駆動ユニット１５０によると、表示パネル１２０に対し位置固定されて制御ユニット１７０と導通した固定接触子１５５は、指針ユニット１４０の可動歯車１４２に設けられた導通ターミナル１４５と摺接により導通する。ここで導通ターミナル１４５は、指針光源部１４３を点灯させるために設けられている。故に制御ユニット１７０は、固定接触子１５５及び導通ターミナル１４５を介して指針光源部１４３と導通することで、回転指針１４１の発光を確実に制御することができる。しかも、駆動ユニット１５０のアクチュエータ１５６では、回転指針１４１を支持する可動歯車１４２と連繋した駆動歯車１５８，１５９が自転することで、当該指針１４１が可動歯車１４２と一体に回転駆動される。故に、アクチュエータ１５６と導通した制御ユニット１７０は、回転指針１４１の回転駆動も確実に制御することができる。以上によれば、回転指針１４１の発光状態と回転指針１４１の回転駆動状態とを制御ユニット１７０の制御によって実現する構成につき、表示パネル１２０の前方にて比較的小型に且つ汎用の表示パネル１２０を用いて低コストに構築可能となる。
【００４２】
（第二実施形態）
本発明の第二実施形態は、第一実施形態の変形例である。尚、第二実施形態においても第一実施形態と同様、図９〜１２に示す円形表示部１２１ｂ側に関して代表して説明し、円形表示部１２１ａ側に関しては図示はしないが、円形表示部１２１ｂ側と異なる部分を特に説明する。
【００４３】
図９〜１１に示すように第二実施形態の指針ユニット２１４０は、透光性に変更された可動歯車２１４２と共に、透光性の回転プレート２１４８及び複数の外周光源部２１４３を含んで構成されている。具体的に可動歯車２１４２は、透明又は半透明な透光性樹脂により形成されている。回転プレート２１４８は、透明又は半透明な透光性樹脂により可動歯車２１４２と一体に形成されている。回転プレート２１４８は、表示ケース１１０内のうち表示パネル１２０の前方に、収容されている。回転プレート２１４８は、前方を向く前面２１４８ａにて凹んだ湾曲凹面状を、呈している。回転プレート２１４８は、自身の外周縁に沿った円環板状の可動歯車２１４２対し、その背後にて一体回転可能に同心配置されている。これにより円形表示部１２１ｂ側では、前方の視認者から視認可能に、当該表示部１２１ｂの全体が回転プレート２１４８を透過している。
【００４４】
透明又は半透明な回転プレート２１４８には、外周側から照射される光を前方へと反射するように、複数の微小（例えば高低差５μｍ程度）な凹凸が透明又は半透明な所定長さの細長状領域に、形成されている。これにより、光照射時には前方の視認者から回転指針２１４１として視認されることとなる細長状領域は、円形表示部１２１ｂの径方向に沿って延伸した状態を維持しつつ、同表示部１２１ｂの円周方向に回転可能となっている。ここで第二実施形態では、駆動ユニット２１５０のうちアクチュエータ１５６の各駆動歯車１５８，１５９が第一実施形態と同様に自転することで、回転指針２１４１として回転プレート２１４８に形成の細長状領域が、可動歯車１４２と一体に回転駆動されることとなる。
【００４５】
さて、回転指針２１４１としての細長状領域のうち、特定表示領域１２６の前方に位置する径方向中間部分には、微小な凹凸が設けられず、凸レンズ状のレンズ部２１４４ａが透明又は半透明に設けられている。これによりレンズ部２１４４ａは、いずれかの数字指標１２４ｂに対する前方箇所へと図１２の如く回転指針２１４１の回転に応じて到達したときに、背後の当該指標１２４ｂを拡大して透過させる。ここでレンズ部２１４４ａは、拡大された数字指標１２４ｂを、少なくとも径方向両側にて隙間２１４４ｄをあけて囲んだ状態に前方の視認者からは視認可能とする外周輪郭サイズを、確保している。尚、円形表示部１２１ａ側では、レンズ部２１４４ａにより拡大されて透過することとなる特定表示領域１２６の数字指標１２４ａを、前方からの視認状態で少なくとも径方向両側に隙間２１４４ｄをあけて囲むように、外周輪郭サイズが確保される。
【００４６】
図１０に示すように複数の外周光源部２１４３は、表示ケース１１０内のうち回転プレート２１４８及び可動歯車２１４２の外周側に、収容されている。各外周光源部２１４３は、加飾リング１５２により前方及び外周側から覆われて保持されることで、前方の視認者からは実質視認不能となっている。各外周光源部２１４３は、円形表示部１２１ｂの円周方向において等間隔に並んでいる。各外周光源部２１４３は、本実施形態では赤色、緑色及び青色である三色のＬＥＤ光源から、それぞれ構成されている。各指針光源部１４３は、三色のＬＥＤ光源のうち少なくとも一つが通電されるのに応じて点灯することで、回転プレート２１４８及び可動歯車２１４２に光を照射する。これにより各指針光源部１４３の光は、それぞれ対応する回転位置へと到達した回転プレート２１４８の細長状領域に照射されることで、当該領域が前方の視認者から視認可能な回転指針２１４１として発光する。
【００４７】
こうした指針ユニット２１４０を備える第二実施形態では、図９に示すように、複数の固定接触子１５５が駆動ユニット２１５０に設けられない。それと共に第二実施形態では、各外周光源部２１４３と導通した制御ユニット２１７０が、それら光源部２１４３による回転指針２１４１の発光状態を制御する。このとき制御ユニット２１７０は、回転指針２１４１の回転位置に応じて回転プレート２１４８の細長状領域に光照射可能な少なくとも一つの外周光源部２１４３を点灯させるように、各外周光源部２１４３への通電調整を随時実行する。
【００４８】
（作用効果）
以上説明した第二実施形態の作用効果のうち、第一実施形態の作用効果とは異なる点を、以下に説明する。
【００４９】
第二実施形態の指針ユニット２１４０によると、表示パネル１２０の前方にて円周方向に回転可能な回転プレート２１４８は、透明又は半透明であることから、レンズ部２１４４ａを有した回転指針２１４１を前方から視認可能に形成し得る。ここで、駆動ユニット２１５０のアクチュエータ１５６では、可動歯車２１４２と連繋した駆動歯車１５８，１５９が自転することで、回転プレート２１４８の回転指針２１４１が可動歯車２１４２と一体に回転駆動される。故に、第一実施形態と同様にアクチュエータ１５６と導通した制御ユニット２１７０は、回転指針２１４１の回転駆動を確実に制御することができる。
【００５０】
また、第二実施形態の指針ユニット２１４０によると、回転プレート２１４８及びその外周縁に沿った円環状可動歯車２１４２に対する外周側には、複数の外周光源部２１４３が円周方向に並んで配置されている。ここで可動歯車２１４２は、回転プレート２１４８と同様に透明又は半透明である。故に、回転プレート２１４８に形成の回転指針２１４１は、自身の回転位置に応じて点灯した少なくとも一つの外周光源部２１４３から、それら透明又は半透明要素２１４２，２１４８を通して受光し得る。故に、各外周光源部２１４３と導通した制御ユニット２１７０は、回転指針２１４１の発光を確実にすることが制御できる。
【００５１】
以上によれば、回転指針２１４１の回転駆動状態と回転指針２１４１の発光状態とを制御ユニット２１７０の制御によって実現する構成につき、表示パネル１２０の前方にて比較的小型に且つ汎用の表示パネル１２０を用いて低コストに構築可能となる。
【００５２】
さらに、第二実施形態による回転プレート２１４８は、透明又は半透明であることで、前方を向く前面２１４８ａにより前方視認者の像を反射したとしても、湾曲凹面状に凹んだ前面２１４８ａにより当該反射像を、視認者には視認困難に拡大させ得る。これによれば、数字指標１２４ａ，１２４ｂを拡大させるレンズ部２１４４ａを一体形成するために透明又は半透明とした回転プレート２１４８に起因して、数字指標１２４ａ，１２４ｂの視認が視認者の反射像によって阻害される事態につき、回避することができる。故に、回転指針２１４１が数字指標１２４ａ，１２４ｂを指示することによる情報の報知性を、確実に確保することが可能となる。
【００５３】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００５４】
第一及び第二実施形態に関する変形例１としては、数字指標１２４ａ，１２４ｂに代えて又は加えて目盛指標１２５ａ，１２５ｂが、特定表示領域１２６に形成の特定指標としてレンズ部１４４ａ，２１４４ａにより拡大されてもよい。第一実施形態に関する変形例２としては、第二実施形態に準じて、レンズ部１４４ａが凸レンズ状に形成されていてもよい。第二実施形態に関する変形例３としては、第一実施形態に準じて、レンズ部２１４４ａがフレネルレンズ状に形成されていてもよい。
【００５５】
第一実施形態に関する変形例４としては、第二実施形態に準じて、フレーム部１４４ｂが回転指針１４１に設けられていなくてもよい。第二実施形態に関する変形例５としては、第一実施形態に準じて、フレーム部１４４ｂが回転プレート２１４８と一体回転可能に設けられていてもよい。
【００５６】
第一実施形態に関する変形例６としては、特定表示領域１２６外となる一方の領域１２７，１２８の前方に、指針光源部１４３が配置されていなくてもよい。第二実施形態に関する変形例７としては、光源部２１４３が回転プレート２１４８と一体回転可能に設けられていてもよい。
【００５７】
第二実施形態に関する変形例８としては、透光性樹脂製又は不透光性金属製の可動歯車２１４２に対して、透光性樹脂製の回転プレート２１４８が別体に形成されて装着されていてもよい。第二実施形態に関する変形例９としては、回転プレート２１４８に積層されて外周光源部２１４３からの紫外光又は赤外光により発光可能な透明又は半透明の透光性蛍光層から、回転指針２１４１が前方から視認可能に形成されていてもよい。第二実施形態に関する変形例１０としては、回転プレート２１４８に積層された不透光性の着色印刷層から、回転指針２１４１が前方から視認可能に形成されていてもよい。
【００５８】
第二実施形態に関する変形例１１としては、湾曲凹面状の前面２１４８ａに代えて又は加えて、視認者像の反射を抑えるアンチリフレクション機能の与えられた前面２１４８ａが、回転プレート２１４８に採用されていてもよい。ここでアンチリフレクション機能は、例えば前面２１４８ａへのアンチリフレクション処理や、前面２１４８ａへのアンチリフレクション層の積層、前面２１４８ａへのアンチリフレクションシートの装着等により、実現可能である。第二実施形態に関する変形例１２としては、回転プレート２１４８の前面２１４８ａが湾曲凹面状以外、例えば平面状に形成されていてもよい。
【００５９】
第一及び第二実施形態に関する変形例１３としては、表示指標の背景色を印刷等により不変にした表示パネル１２０が、採用されていてもよい。第二実施形態に関する変形例１４としては、図１３に示すように、可動歯車１４２とアクチュエータ１５６とを組み合わせた減速機構以外の各種機構により、回転指針２１４１が回転駆動されてもよい。ここで図１３は、表示パネル１２０の背後にて駆動源１５７により回転駆動されるアーム１１５７が、当該パネル１２０の前方にて回転プレート２１４８を一体回転可能に支持する変形例１４を、示している。尚、かかる変形例１４においてアーム１１５７は、透明又は半透明な透光性樹脂製、又は不透光性金属製等から形成可能である。
【符号の説明】
【００６０】
１００  車両用表示装置、１２０  表示パネル、１２１ａ，１２１ｂ  円形表示部、１２４ａ，１２４ｂ  数字指標、１２５ａ，１２５ｂ  目盛指標、１２６  特定表示領域、１２７  外周表示領域、１２８  内周表示領域、１４０，２１４０  指針ユニット、１４１，２１４１  回転指針、１４２，２１４２  可動歯車、１４３  指針光源部、１４４ａ，２１４４ａ  レンズ部、１４４ｂ  フレーム部、１４４ｃ  透過部、１４４ｄ，２１４４ｄ  隙間、１４５  導通ターミナル、１４６  透光性樹脂基板、１４７  透光性樹脂フィルム、１４９  透光性樹脂フィルム、１５０，２１５０  駆動ユニット、１５５  固定接触子、１５６  アクチュエータ、１５７  駆動源、１５８  第一駆動歯車、１５９  第二駆動歯車、１７０，２１７０  制御ユニット、１１５７  アーム、２１４３  外周光源部、２１４８  回転プレート、２１４８ａ  前面
【図１】
2018009902.tif 000003
【図２】
2018009902.tif 000004
【図３】
2018009902.tif 000005
【図４】
2018009902.tif 000006
【図５】
2018009902.tif 000007
【図６】
2018009902.tif 000008
【図７】
2018009902.tif 000009
【図８】
2018009902.tif 000010
【図９】
2018009902.tif 000011
【図１０】
2018009902.tif 000012
【図１１】
2018009902.tif 000013
【図１２】
2018009902.tif 000014
【図１３】
2018009902.tif 000015